(57)【要約】      （修正有）【課題】眼鏡をポケットやバッグに入れておく場合に、破損する恐れが少ない構造を提供する。【解決手段】眼鏡装置１００は、各々１つのコネクタ部分１０６，１１２と１つのレンズ部分１０４，１１０とを有する第１及び第２眼鏡部分１０２，１０８を含む。眼鏡装置１００は、収納形態と伸展形態との間で移行するように構成されている。眼鏡装置１００が収納形態にある場合には、両レンズ部分１０４，１１０は相互に重なり合っている。眼鏡装置が伸展形態にある場合には、両レンズ部分１０４，１１０は重なり合わない。【選択図】図１８
2019032537.tif 000002
【特許請求の範囲】
【請求項１】
第１眼鏡部分と第２眼鏡部分とを含む眼鏡装置であって、
前記第１眼鏡部分は、第１レンズ部分と、該第１レンズ部分に作動的に結合された第１コネクタ部分と、第１リンクとを含み、
前記第２眼鏡部分は、第２レンズ部分と、該第２レンズ部分に作動的に結合された第２コネクタ部分と、第２リンクとを含み、
前記第１コネクタ部分は、第１チャネルを少なくとも部分的に画定しており、
前記第２コネクタ部分は、第２チャネルを少なくとも部分的に画定しており、
前記第１リンクは、前記第１コネクタ部分に回動可能に接続されており、かつ、前記第２チャネルにスライド可能に接続されており、
前記第２リンクは、前記第２コネクタ部分に回動可能に接続されており、かつ、前記第１チャネルにスライド可能に接続されており、
前記第１リンク及び前記第２リンクは、前記眼鏡装置が収納形態と伸展形態との間で移行可能となるように、前記第１コネクタ部分と前記第２コネクタ部分とを相互に作動的に接続しており、
前記眼鏡装置が前記収納形態にある場合には、前記第１レンズ部分と前記第２レンズ部分とが相互に重なり合っており、
前記眼鏡装置が前記伸展形態にある場合には、前記第１レンズ部分と前記第２レンズ部分とが相互に隣接しており、重なり合わない
ことを特徴とする、眼鏡装置。
【請求項２】
前記眼鏡装置は、前方部分と後方部分とを有し、
前記眼鏡装置は、着用者から離れる方向を向いた前記前方部分と、該着用者の方向を向いた前記後方部分とを用いて着用されるように適合されており、
前記第１チャネルは、前記前方部分内に形成されており、
前記第２チャネルは、前記後方部分内に形成されている
ことを特徴とする、請求項１記載の眼鏡装置。
【請求項３】
前記第２眼鏡部分は、疑似チャネルを含み、
前記疑似チャネルは、前記眼鏡装置が前記伸展形態にある場合に、前記第１チャネルに対して対称であるように見える
ことを特徴とする、請求項２記載の眼鏡装置。
【請求項４】
前記第１チャネルは、前記第１レンズ部分によって部分的に画定されている
ことを特徴とする、請求項１記載の眼鏡装置。
【請求項５】
前記眼鏡装置は、前方部分と後方部分とを有し、
前記眼鏡装置は、着用者から離れる方向を向いた前記前方部分と、該着用者の方向を向いた前記後方部分とを用いて着用されるように適合されており、
前記第１チャネルは、前記前方部分内に形成されており、
前記第２チャネルは、前記後方部分内に形成されている
ことを特徴とする、請求項４記載の眼鏡装置。
【請求項６】
前記第２眼鏡部分は、疑似チャネルを含み、
前記疑似チャネルは、前記第２コネクタ部分と前記第２レンズ部分の双方によって画定されており、かつ、前記眼鏡装置が前記伸展形態にある場合に、前記第１チャネルに対して対称であるように見える
ことを特徴とする、請求項５記載の眼鏡装置。
【請求項７】
前記眼鏡装置の前記前方部分は、前記眼鏡装置が前記伸展形態にある場合に対称であり、
前記第１リンク及び前記第２リンクは、前記眼鏡装置が前記伸展形態にある場合に、前記第１コネクタ部分及び前記第２コネクタ部分内に隠されている
ことを特徴とする、請求項６記載の眼鏡装置。
【請求項８】
前記第１リンク及び前記第２リンクは、前記眼鏡装置が前記伸展形態にある場合に、前記第１コネクタ部分及び前記第２コネクタ部分内に隠されている
ことを特徴とする、請求項１記載の眼鏡装置。
【請求項９】
前記第１チャネルは、前記第１レンズ部分によって部分的に画定されており、
前記第２眼鏡部分は、疑似チャネルを含み、
前記疑似チャネルは、前記第２コネクタ部分と前記第２レンズ部分の双方によって画定されており、かつ、前記眼鏡装置が前記伸展形態にある場合に、前記第１チャネルに対して対称であるように見える
ことを特徴とする、請求項８記載の眼鏡装置。
【請求項１０】
前記第１コネクタ部分及び前記第２コネクタ部分の一方は磁石を含み、前記第１コネクタ部分及び前記第２コネクタ部分の他方は磁性部分を含み、
前記磁石及び前記磁性部分は、前記眼鏡装置が前記伸展形態にある場合に、前記第１コネクタ部分と前記第２コネクタ部分とを相互に解除可能に固定するように構成及び適合されている
ことを特徴とする、請求項１記載の眼鏡装置。
【請求項１１】
前記磁石は、雄型嵌合部を形成し、前記磁性部分は、雌型嵌合部を形成し、
前記雄型嵌合部は、前記眼鏡装置が前記伸展形態にある場合に、前記雌型嵌合部内に解除可能に配置されている
ことを特徴とする、請求項１０記載の眼鏡装置。
【請求項１２】
前記眼鏡装置は、第１テンプル部分及び第２テンプル部分を含み、
前記第１テンプル部分は、前記第１コネクタ部分に回動可能に接続されており、
前記第２テンプル部分は、前記第２コネクタ部分に回動可能に接続されている
ことを特徴とする、請求項１記載の眼鏡装置。
【請求項１３】
前記第１テンプル部分及び前記第２テンプル部分は、それぞれ近位部分と遠位部分とを含み、
前記近位部分と前記遠位部分とは相互に回動可能に接続されており、
前記第１テンプル部分及び前記第２テンプル部分の各遠位部分は、前記第１テンプル部分及び前記第２テンプル部分の各近位部分を介して各第１コネクタ部分及び第２コネクタ部分に接続されている
ことを特徴とする、請求項１２記載の眼鏡装置。
【請求項１４】
第１テンプル部分及び第２テンプル部分を有する眼鏡装置のための第１ストラップクリップ及び第２ストラップクリップであって、
前記各ストラップクリップは、それぞれ柔軟なストラップに接続されるように適合及び構成されており、
前記各ストラップクリップは、それぞれ前記第１テンプル部分及び前記第２テンプル部分の少なくとも一方に解除可能にスナップ嵌合するように適合及び構成されている
ことを特徴とする、第１ストラップクリップ及び第２ストラップクリップ。
【請求項１５】
前記第１ストラップクリップは、前記第２ストラップクリップと同一である
ことを特徴とする、請求項１４記載の第１ストラップクリップ及び第２ストラップクリップ。
【請求項１６】
前記第１ストラップクリップは、前記第１テンプル部分及び前記第２テンプル部分の一方にスナップ嵌合される際に弾性に変形するように構成されている
ことを特徴とする、請求項１５記載の第１ストラップクリップ及び第２ストラップクリップ。
【請求項１７】
第１テンプル部分及び第２テンプル部分と、請求項１６に記載の第１ストラップクリップ及び第２ストラップクリップとを有する眼鏡装置であって、
前記第１テンプル部分及び前記第２テンプル部分は、ノッチを有し、
前記ノッチは、前記第１ストラップクリップ及び前記第２ストラップクリップの一方と協働して、当該一方のストラップクリップを対応するテンプル部分に確実にスナップさせるように適合されている
ことを特徴とする、眼鏡装置。
【発明の詳細な説明】
【技術分野】
【０００１】
本発明は、一般に眼鏡に関し、より詳細には伸展可能な眼鏡に関する。
【背景技術】
【０００２】
特定の行動のため（例えば読むため）だけに眼鏡を使用する人は、各自の眼鏡をポケット又はキャリーバッグ又はハンドバックの中に入れておくことが多い。従来の眼鏡は比較的嵩高であり、破損する恐れがある。
【発明の概要】
【課題を解決するための手段】
【０００３】
本発明の１つの側面において、眼鏡装置は、第１眼鏡部分と第２眼鏡部分とを含む。前記第１眼鏡部分は、第１レンズ部分と、当該第１レンズ部分に作動的に結合された第１コネクタ部分と、第１リンクとを含む。前記第２眼鏡部分は、第２レンズ部分と、当該第２レンズ部分に作動的に結合された第２コネクタ部分と、第２リンクとを含む。前記第１コネクタ部分は、第１チャネルを少なくとも部分的に画定しており、前記第２コネクタ部分は、第２チャネルを少なくとも部分的に画定している。前記第１リンクは、前記第１コネクタ部分に回動可能に接続されており、かつ、前記第２チャネルにスライド可能に接続されている。同様にして、前記第２リンクは、前記第２コネクタ部分に回動可能に接続されており、かつ、前記第１チャネルにスライド可能に接続されている。前記第１リンク及び前記第２リンクは、前記眼鏡装置が収納形態と伸展形態との間で移行可能となるように、前記第１コネクタ部分と前記第２コネクタ部分とを相互に作動的に接続している。前記眼鏡装置が前記収納形態にある場合には、前記第１レンズ部分と前記第２レンズ部分とが相互に重なり合っている。前記眼鏡装置が前記伸展形態にある場合には、前記第１レンズ部分と前記第２レンズ部分とが相互に隣接しており、重なり合わない。
【０００４】
本発明の別の１つの側面は、第１テンプル部分及び第２テンプル部分を有する眼鏡装置のための第１ストラップクリップ及び第２ストラップクリップに関する。前記各ストラップクリップは、それぞれ柔軟なストラップに接続されるように適合及び構成されている。また、前記各ストラップクリップは、それぞれ前記第１テンプル部分及び前記第２テンプル部分の少なくとも一方に解除可能にスナップ嵌合するように構成及び適合されている。
【０００５】
本発明のさらなる特徴及び利点並びに本発明の動作方法については、以下、添付図面を参照しながら詳細に説明する。
【図面の簡単な説明】
【０００６】
【図１】収納形態における、本発明の眼鏡装置の１つの実施形態の斜視図である。
【図２】伸展形態における、図１の眼鏡装置の斜視図である。
【図３Ａ】図１及び２の眼鏡装置の第１眼鏡部分の背面及び平面を表す斜視図である。
【図３Ｂ】図３Ａの第１眼鏡部分の背面及び底面を表す斜視図である。
【図３Ｃ】図３Ａ及び３Ｂの第１眼鏡部分の正面及び底面を表す斜視図である。
【図４Ａ】図１及び２の眼鏡装置の第２眼鏡部分の背面及び平面を表す斜視図である。
【図４Ｂ】図４Ａの第２眼鏡部分の正面及び底面を表す斜視図である。
【図４Ｃ】図４Ａ及び４Ｂの第２眼鏡部分の正面及び平面を表す斜視図である。
【図４Ｄ】図４Ａ〜Ｃの第２眼鏡部分の平面図である。
【図５】収納形態における図１の眼鏡装置の背面図である。
【図６】図５の６−６線の平面に沿った図１の眼鏡装置の断面図である。
【図７】図５の７−７線の平面に沿った図１の眼鏡装置の断面図であり、当該眼鏡装置は、ロック位置にあるロック機構と共に図示されている。
【図８】図７に類似した断面図であるが、ロック解除された位置にあるロック機構が図示されている。
【図９Ａ】図１の眼鏡装置のハウジングのハウジングスリーブインサートの背面及び平面を表す斜視図である。
【図９Ｂ】図９Ａのハウジングスリーブインサートの正面及び底面を表す斜視図である。
【図１０】図１の眼鏡装置のハウジングのハウジングシェルの背面を表す斜視図である。
【図１１】図１の眼鏡装置のストップピンの斜視図である。
【図１２】図１の眼鏡装置の左側キャップの斜視図である。
【図１３】図１の眼鏡装置の右側キャップの斜視図である。
【図１４Ａ】図１の眼鏡装置のロック機構の下側の正面及び底面を表す斜視図である。
【図１４Ｂ】図１４Ａのロック機構の下側の背面及び平面を表す斜視図である。
【図１５】収納形態における図１の眼鏡装置の斜視図であり、図１５の眼鏡装置にはハウジングシェルと左側キャップと右側キャップとが図示されていないという点を除いて、図１５は図１に類似している。
【図１６】伸展形態における、折り畳み式の眼鏡装置の別の実施形態の斜視図である。
【図１７】伸展形態から収納形態へと移行している最中における図１６の眼鏡装置の斜視図である。
【図１８】伸展形態から収納形態へとさらに移行している最中における図１６及び１７の眼鏡装置の斜視図である。
【図１９】図１８に類似した斜視図であるが、ここではコネクタ部分のチャネルを露出させるために、コネクタ部分の一部が切り取られて図示されている。
【図２０】収納形態における図１６〜１９の眼鏡装置の斜視図である。
【図２１】図１６〜２０の眼鏡装置の一方のテンプル部分の遠位部分と、ストラップクリップとを示す詳細な分解斜視図である。
【図２２】ストラップ紐に取り付けられたストラップクリップの斜視図であり、柔軟なスリーブが図示されている。
【発明を実施するための形態】
【０００７】
明細書の記載中の参照符号と、図中の参照符号は、対応している項目を表している。
【０００８】
まず始めに図１及び２を参照すると、本発明の例示的な眼鏡装置が全体として参照符号２０で示されている。眼鏡装置２０は、全体として参照符号２２で示された第１眼鏡部分と、全体として参照符号２４で示された第２眼鏡部分とを含む。第１眼鏡部分２２は、第１レンズ部分２６と第１コネクタ部分２８とを含む。第２眼鏡部分２４は、第２レンズ部分３０と第２コネクタ部分３２とを含む。第１レンズ部分２６は、第１コネクタ部分２８に作動的に結合されており、好ましくは、第１レンズ部分２６と第１コネクタ部分２８とが１つのパーツとして移動するように第１コネクタ部分２８に固定されている。第２レンズ部分３０は、第２コネクタ部分３２に作動的に結合されており、好ましくは、第２レンズ部分３０と第２コネクタ部分３２とが１つのパーツとして移動するように第２コネクタ部分３２に固定されている。好ましくは、レンズ部分２６，３０は、悪化した視力を矯正するように構成された矯正レンズ部分を構成している。より好ましくは、レンズ部分２６，３０は、遠視又は老眼を矯正するように構成されている。レンズ部分２６，３０は、凸レンズ部分（例えば平凸レンズ、両凸レンズ、又は、凹凸レンズ）とすることができる。第１レンズ部分２６は、内側縁部部分３４と、当該内側縁部部分３４のほぼ反対の位置にある外側縁部部分３６とを含む。第２レンズ部分３０は、内側縁部部分３８と、当該内側縁部部分３８のほぼ反対の位置にある外側縁部部分４０とを含む。
【０００９】
第１眼鏡部分２２の第１コネクタ部分２８と、第２眼鏡部分２４の第２コネクタ部分３２とは、眼鏡装置２０が収納形態（図１）と伸展形態（図２）との間で移行可能となるように相互に機械的に接続されている。第１コネクタ部分２８と第２コネクタ部分３２とは、眼鏡装置２０が収納形態にある場合に、第１レンズ部分２６と第２レンズ部分３０とが相互に重なり合うように、かつ、第１レンズ部分２６の内側縁部部分３４が第２レンズ部分３０の内側縁部部分３８よりも第２レンズ部分３０の外側縁部部分４０の方に近接するように、かつ、第１レンズ部分２６の外側縁部部分３６が第２レンズ部分３０の外側縁部部分４０よりも第２レンズ部分３０の内側縁部部分３８の方に近接するように、接続されている。第１コネクタ部分２８と第２コネクタ部分３２とは、眼鏡装置２０が伸展形態にある場合に、第１レンズ部分２６の内側縁部部分３４と第２レンズ部分３０の内側縁部部分３８とが重なり合わないように、かつ、第１レンズ部分２６の外側縁部部分３６と第２レンズ部分３０の外側縁部部分４０との間に第１レンズ部分２６の内側縁部部分３４と第２レンズ部分３０の内側縁部部分３８とが配置されるように、接続されている。
【００１０】
好ましい実施形態においては、第１コネクタ部分２８と第２コネクタ部分３２とは、ガイドピン及びガイドチャネルを介して相互に機械的に接続されている。特に図３Ａ〜３Ｃを参照すると、第１コネクタ部分２８は、第１及び第２上側ガイドピン４２，４４と、第１及び第２下側ガイドピン４６，４８とを含む。第１及び第２上側ガイドピン４２，４４は、第１コネクタ部分２８の上側部分から下方へと突出しており、第１及び第２下側ガイドピン４６，４８は、第１コネクタ部分の下側部分から上方へと突出している。図４Ａ〜４Ｄを参照すると、第２コネクタ部分３２は、第２コネクタ部分の頂面に設けられた第１及び第２上側ガイドチャネル５２，５４と、第２コネクタ部分の底面に設けられた第１及び第２下側ガイドチャネル５６，５８とを含む。ガイドピン及びガイドチャネルは、眼鏡装置２０が収納形態と伸展形態との間で移行する際に、第１及び第２上側ガイドピン４２，４４がそれぞれ第１及び第２上側ガイドチャネル５２，５４内で走行するように、かつ、第１及び第２下側ガイドピン４６，４８がそれぞれ第１及び第２下側ガイドチャネル５６，５８内で走行するように、形成及び構成されている。特に、第１上側ガイドピン４２及び第１下側ガイドピン４６は、それぞれ第２上側ガイドピン４４及び第２下側ガイドピン４８よりも長くなっており、かつ、直径は小さくなっている。同様にして、第１上側ガイドチャネル５２及び第１下側ガイドチャネル５６は、それぞれ第２上側ガイドチャネル５４及び第２下側ガイドチャネル５８よりも深くなっており、かつ、幅狭になっている。各チャネル５２，５４，５６，５８は、それぞれ少なくとも１つの水平延在部分５２ａ，５４ａ，５６ａ，５８ａと、少なくとも１つの傾斜延在部分５２ｂ，５４ｂ，５６ｂ，５８ｂとを含む。水平延在部分５２ａ，５４ａ，５６ａ，５８ａは、ほぼ直線形であり、かつ、相互にほぼ平行である。傾斜延在部分５２ｂ，５４ｂ，５６ｂ，５８ｂは、ほぼ直線形であり、かつ、相互にほぼ平行である。各チャネルの、それぞれ対応している傾斜延在部分と水平延在部分とが１つの傾斜角度（例えば１５０°）を形成している。
【００１１】
図５〜８を参照すると、眼鏡装置２０が収納形態にある場合には、第１レンズ部分２６と第２レンズ部分３０とが相互に重なり合っている。本実施形態において、眼鏡装置２０が収納形態にある場合には、第１レンズ部分２６が第２レンズ部分３０にオーバーラップしている。換言すると、第１レンズ部分２６と第２レンズ部分３０は、眼鏡装置２０が収納形態にある場合には水平方向に一直線には並ばない。しかしながら、これに代わる眼鏡装置を、当該眼鏡装置が収納形態にある場合に第１レンズ部分と第２レンズ部分とが水平方向に一直線に並ぶように構成することも、本発明の範囲を逸脱することなく可能であることを理解すべきである。図６を参照すると、眼鏡装置２０が収納形態にある場合に、第１レンズ部分２６の内側縁部部分３４は、第２レンズ部分３０の内側縁部部分３８よりも第２レンズ部分３０の外側縁部部分４０の方に近接しており、かつ、第１レンズ部分２６の外側縁部部分３６は、第２レンズ部分３０の外側縁部部分４０よりも第２レンズ部分３０の内側縁部部分３８の方に近接している。
【００１２】
眼鏡装置が収納形態から伸展形態へと移行する際には、ガイドピン及びガイドチャネルに基づき、第１眼鏡部分２２と当該第１眼鏡部分に対応する第１レンズ部分２６とが、第２眼鏡部分２４と当該第２眼鏡部分に対応する第２レンズ部分３０とに対して少なくとも第１方向（すなわち水平方向）へと移動し、その後、第２方向（すなわち傾斜方向又は斜め方向）へと連続的に移動する。水平延在部分５２ａ，５４ａ，５６ａ，５８ａが直線形であり、かつ、傾斜延在部分５２ｂ，５４ｂ，５６ｂ，５８ｂが直線形であるので、眼鏡装置２０が収納形態から伸展形態へと移行する際には、第１眼鏡部分２２は少なくとも第１軸に沿って、例えば水平軸Ｘ１（図１）に沿って移動し、その後、第２軸（例えば傾斜軸Ｘ２）に沿って移動する。精確なメカニズム及び精確な動作を好ましい実施形態に関連して説明してきたが、以下の請求項で規定されるような本発明の範囲を逸脱することなく、類似の又は異なる動作を生じさせる任意の代替的なメカニズムを採用することが可能であることを理解すべきである。図６〜８に示すように眼鏡装置２０が収納形態にある場合には、第１レンズ部分２６は第２レンズ部分３０の前方にある。第１レンズ部分２６が傾斜軸Ｘ２に沿って伸展位置へと移動する際、すなわち第１コネクタ部分２８のガイドピン４２，４４，４６，４８がガイドチャネル５２，５４，５６，５８の傾斜延在部分５２ｂ，５４ｂ，５６ｂ，５８ｂに沿って走行する際には、第１レンズ部分２６は、第２レンズ部分３０とほぼ一直線に並ぶまで、第２レンズ部分３０に関連して後方に移動する。図２に示すように眼鏡装置２０が伸展形態にある場合には、第１レンズ部分２６の内側縁部分３４と第２レンズ部分３０の内側縁部部分３８とは重なり合わず、第１レンズ部分２６の外側縁部部分３６と第２レンズ部分３０の外側縁部部分４０との間に、第１レンズ部分２６の内側縁部部分３４と第２レンズ部分３０の内側縁部部分３８とが配置される。眼鏡装置２０が伸展形態にある場合に、第１レンズ部分２６の内側縁部部分３４と第２レンズ部分３０の内側縁部部分３８との間に位置する鼻を収容するための領域６０を画定するために、第１レンズ部分２６の内側縁部部分３４と第２レンズ部分３０の内側縁部部分３８とが離間されるように、眼鏡装置２０が構成されている（図２）。
【００１３】
眼鏡装置２０は、全体として参照符号６２で示されたハウジングも含み、このハウジング６２は、眼鏡装置が収納形態にある場合に、第１及び第２レンズ部分２６，３０を収容するように形成及び構成されている。ハウジング６２は、ハウジングスリーブインサート６４と、当該ハウジングスリーブインサートを取り囲むハウジングシェル６６とを含む。ハウジングスリーブインサート６４は、上側及び下側ガイドタブ７０，７２を含む。第２眼鏡部分２４の第２コネクタ部分３２は、上側ガイドタブ７０を収容するように適合された上側ガイドスロット７４と、下側ガイドタブ７２を収容するように適合された下側ガイドスロット７６とを含む。収納形態（図１，５〜８）と伸展形態（図２）との間において、第２眼鏡部分２４がハウジング６２に関連して相対的に移動する際に、第２コネクタ部分３２は、ハウジングスリーブインサート６４のガイドタブ７０，７２に沿って走行する。第２コネクタ部分３２はさらに、第２コネクタ部分３２の背面に設けられた制限スロット７８を含む。眼鏡装置２０はさらに、ハウジングシェル６６から制限スロット７８内へと突出するストップピン８０を含む。眼鏡装置２０が伸展形態にある場合に、第２コネクタ部分３２がハウジングスリーブインサート６４から脱離するのを防止するために、制限スロット７８の端部（例えば図４Ａのスロットの最左端）において、ストップピン８０が第２コネクタ部分３２に係合する。
【００１４】
眼鏡装置２０はさらに左側キャップ８２と右側キャップ８４とを含む。左側キャップ８２は、ハウジング６２のハウジングシェル６６の端部（図５及び６の左端）に固定されている。右側キャップ８４は、第１眼鏡部分２２の第１コネクタ部分２８の端部に固定されている。右側キャップ８４は、眼鏡装置２０が収納形態にある場合にハウジングシェル６６の端部（図５及び６の右端）を覆う。眼鏡装置２０は、眼鏡装置２０を伸展形態へと押し進めるためのばね８６又は他の適当な付勢部材も含む。ばね８６は、マクマスター・カー社から市販されている部品番号９６６２Ｋ１２タイプのスプリングテンパー鋼の圧縮ばね（a spring-tempered steel compression spring）のようなコイルばねとすることができる（適当な長さに切断して）。左側キャップ８２は、ばね８６の左端を保持するためのステム８８を含む。右側キャップ８４は、右側キャップ８４内にばね８６の右端を保持するための孔９０を含む。
【００１５】
眼鏡装置２０はさらにロック機構９２を含む。ロック機構９２は、ほぼＣ字形の部材であり、ハウジングスリーブインサート６４内のスロットに嵌合する寸法の下側部分を有する。図６〜８に示すようにロック機構９２の下側部分は、ハウジングスリーブインサート６４とほぼ同一平面であり、かつ、ハウジングシェル６６内部に十分に形状一致しているので、ロック機構９２の下側部分はハウジングスリーブインサート及びハウジングシェルに対してほぼ固定されている。ロック機構９２の上側部分は、ロック位置（図７）とロック解除位置（図８）との間で弾性に移動可能となっている。ロック機構９２の上側部分はロックタブ９４を含み、このロックタブ９４は、第１コネクタ部分２８の正面に設けられたロック溝９６に選択的に噛み合うように寸法設定及び構成されている。ロック機構９２は、ロック位置に向かって付勢されるように形成されている。眼鏡装置２０が収納形態にあり、かつ、ロック機構９２がロック位置にある場合には、ロックタブ９４がロック溝９６内へと突出し、ばね８６の付勢力に反作用して、眼鏡装置を収納形態でロックする。
【００１６】
眼鏡装置２２を使用するためにユーザは、ロック機構９２の上側部分の背面を押圧して、当該上側部分をロック解除位置へと弾性に移動させることにより、ロック溝９６からロックタブ９４を解除する。ロック溝９６からロックタブ９４が解除されると、第２コネクタ部分３２の制限スロット７８の端部がストップピン８０に当接するまで、ばね８６が第１眼鏡部分２２をハウジング６２から離れる方向に水平方向へと押し進め、これによって眼鏡装置２０を伸展形態へと移行させる。伸展位置に到着すると眼鏡装置２０をユーザの両目の近傍に配置することができ、ユーザは、第１レンズ部分２６を通して自身の一方の目で、かつ、第２レンズ部分３０を通して他方の目で、同時に視認可能となる。眼鏡装置２２を伸展形態から収納形態へと移行させるためには、右側キャップ８４がハウジングの端部に当接するまで右側キャップ８４を水平方向に押圧することができる。ロック機構９２のロック溝９６がロックタブ９４と一直線に並ぶと、ロック機構９２の付勢力がロックタブ９４を溝の中及びロック位置へと押し進め、眼鏡装置２０を収納形態に維持する。
【００１７】
折り畳み式の眼鏡装置１００の別の実施形態を図１６〜２１に示す。前述した眼鏡装置と同様に、眼鏡装置１００は第１眼鏡部分１０２を含み、この第１眼鏡部分１０２は、第１レンズ部分１０４と第１コネクタ部分１０６とを含む。眼鏡装置１００はさらに第２眼鏡部分１０８を含み、この第２眼鏡部分１０８は、第２レンズ部分１１０と第２コネクタ部分１１２とを含む。また、前述した眼鏡装置と同様に、眼鏡装置１００が、第１レンズ部分１０４と第２レンズ部分１１０とが相互に重なり合う収納形態と、第１レンズ部分１０４と第２レンズ部分１１０とが相互に重なり合わない伸展形態との間で移行可能となるように、第１コネクタ部分１０６と第２コネクタ部分１１２とが相互に接続されている。
【００１８】
図１６〜２１に図示された眼鏡装置１１０は、前述した実施形態に存在しない特有の特徴を有する。第１眼鏡部分１０２は、第１リンク１１４を含み、第１コネクタ部分１０６は、第１チャネル１１６を部分的に画定している。同様にして第２眼鏡部分１０８は、第２リンク１１８を含み、第２コネクタ部分１１２は、第２チャネル１２０を画定している。第１チャネル１１６は、第１レンズ部分１０４によっても部分的に画定されており、眼鏡装置１００の前方部分１２２内へと延在している。その逆に、第２チャネル１２０は、眼鏡装置１００の後方部分１２４内へと延在している。第１リンク１１４は、第１コネクタ部分１０６の内側端部に隣接して、当該第１コネクタ部分１０６へと回動可能に取り付けられている。同様にして第２リンク１１８は、第２コネクタ部分１１２の内側端部に隣接して、当該第２コネクタ部分１１２へと回動可能に取り付けられている。各リンク１１４，１１８は、各旋回軸から延在する細長のビーム１２６を含む。旋回軸の反対側のビーム端部には、球頭１２８が形成されている。第１リンク１１４の球頭１２８は、第２眼鏡部分１０８の第２チャネル１２０内にスライド可能に収容されており、第１リンク１１４のビーム１２６は、第２チャネル１２０の外に延在している。その逆に、第２リンク１１８の球頭１２８は、第１眼鏡部分１０２の第１チャネル１１６内にスライド可能に収容されている。図１９の破断図から最も良好に見られるように、こうすることによって第１眼鏡部分１０２と第２眼鏡部分１０８とを相互に移動させ、これによって眼鏡装置１００を収納形態と伸展形態との間で調整することが可能となる。
【００１９】
眼鏡装置１００を伸展形態へと調整する場合には、リンク１１４，１１８の球頭１２８は、最終的には図１７のようにチャネル１１６，１２０の端部に到着する。この点において第１眼鏡部分１０２は、第２眼鏡部分１０８に対して前方へと旋回することができ、当該第２眼鏡部分１０８と若干離間して並列に並ぶ。第１コネクタ部分１０６の内側端部は、磁性材料を含む雌型ソケット嵌合部１３０を含む。第２コネクタ部分１１２の内側端部は、これに対応する雄型嵌合部１３２を形成する磁石を含む。第１眼鏡部分１０２と第２眼鏡部分１０８とが並列に並ぶと、雄型嵌合部１３２を雌型嵌合部１３０内に挿入することができ、これによって両眼鏡部分１０２，１０８の間の間隙を閉鎖することができる。これによって両嵌合部１３０，１３２の間の磁気的な引力が、眼鏡装置１００を図１６のような伸展形態に解除可能に固定する。
【００２０】
眼鏡装置１００が伸展形態にある場合には、第１コネクタ部分１０６と第２コネクタ部分１１２とが単一のモノリシック部品に見えるように、眼鏡装置の前方部分１２２が１つのつながった表面輪郭を有する。このことは、眼鏡装置１００が折り畳み式であるという事実を隠して美的な魅力を付加している。とりわけ、第１チャネル１１６は、第１コネクタ部分１０６と第１レンズ部分１０４の両方によって形成されている（第１レンズ部分１０４の上端は、第２リンク１１８の球頭１２８が第１チャネル１１６から離脱するのを防止している）。こうすることにより、第１チャネル１１６によって眼鏡装置１００の美的な魅力が損なわれないように、第１チャネル１１６をカモフラージュしている。さらには第２眼鏡部分１０８の中に、第２コネクタ部分１１２と第２レンズ部分１１０との間において、同様の対称な疑似チャネル１３４が形成される。このようにして眼鏡装置１００の前方部分は対称になり、第１チャネル１１６及び疑似チャネル１３４は、単なる様式的かつ美的な要素に見える。
【００２１】
眼鏡装置１００はさらに、第１テンプル部分及び第２テンプル部分１３６，１３８を含み、これらの第１テンプル部分及び第２テンプル部分は、装着者の耳から眼鏡部分を部分的に支持するように適合及び構成されている。第１テンプル部分１３６は、第１眼鏡部分１０２の外側端部に回動可能に接続されており、第２テンプル部分１３８は、第２眼鏡部分１０８の外側端部に回動可能に接続されている。従来の眼鏡のテンプル部分と同様に、第１テンプル部分及び第２テンプル部分１３６，１３８の旋回軸は、相互に干渉することなく眼鏡部分１０２，１０８に対して折り畳み可能となるように相互に若干傾斜している。従来のテンプル部分とは異なり、眼鏡装置１００の各テンプル部分１３６，１３８は、好ましくは、テンプル部分の遠位部分１４０を近位部分１４２に接続させる別のヒンジを含む（近位部分は、各眼鏡部分１０２，１０８に回動可能に取り付けられた部分である）。こうすることにより、眼鏡装置１００が収納形態（図２０）にある場合に、テンプル部分１３６，１３８を一層コンパクトに収納することが可能となる。図示されるように、第１テンプル部分及び第２テンプル部分１３６，１３８の旋回軸は、好ましくは、眼鏡装置１００が収納形態にある場合にテンプル部分１３６，１３８の一方が他方を覆うように構成されている。このことは、一般的に折り畳み時に相互に交差するテンプル部分を有している従来の眼鏡装置とは異なっている。
【００２２】
折り畳み式の眼鏡部分を有さないより従来的な眼鏡装置にも組み込むことが可能な、眼鏡装置１００の別の側面は、特有のストラップクリップ１４４と、これに対応するテンプル部分１３６，１３８の最遠位端部の形状とに関する。図２２に図示されているように、ストラップクリップ１４４はプラスチックからなり、本体部分１４８から突出した一組の弾性のロック突起部１４６を含む。テンプル部分１３６，１３８の最遠位端部は、陥凹部１５０を含む。ストラップクリップ１４４は、当該ストラップクリップ１４４をテンプル部分の最遠位部分へと長手方向に優しく押し進めることによって、当該ストラップクリップ１４４が眼鏡装置１００の一方のテンプル部分１３６，１３８に解除可能にスナップ嵌合可能となるように構成されている。上記の過程中、ストラップクリップ１４４の両ロック突起部１４６は、テンプル部分１３６の端部に係合するときに、テンプル部分に形成された陥凹部１５０に到着するまで各々離れる方向へと弾性に広がり、到着後、陥凹部１５０にて両ロック突起部１４６が互いの方向へと弾性に戻り、これによってストラップクリップがテンプル部分に噛み合う。図２２に図示されるようにストラップクリップ１４４は、好ましくは、後方開口部１５２を含み、この後方開口部１５２を通ってストラップ紐又はコード１５４が延在する。ストラップクリップ１４４は、ロック突起部１４６を取り囲む弾性のスリーブ１５６（半透明に図示）も含む。弾性のスリーブ１５６は、両ロック突起部１４６が各々離れる方向へと広がる際に弾性に伸張するように構成及び適合されている。また、弾性のスリーブ１５６は、ストラップクリップ１４４がテンプル部分１３６に取り付けられる際に、ストラップクリップ１４４がテンプル部分１３６から横方向に滑落することを防止する。さらに弾性のスリーブ１５６は美的にも良好であり、かつ、ストラップクリップ１４４の製造を簡単にする。オプションとして、眼鏡装置１００にゴム製又はポリマー製のキャップ（図示せず）を設けることも好ましく、このキャップは、着用者が眼鏡装置にストラップを取り付けない場合にテンプル部分１３６，１３８の陥凹部１５０を隠すために、テンプル部分１３６，１３８の遠位端部に取り付けられるように構成及び適合されている。
【００２３】
以上の説明に鑑みて、本発明により、従来技術の眼鏡機構を超える種々の利点が達成されることを理解すべきである。
【００２４】
本明細書中で説明及び図示された構成及び方法において、本発明の範囲から逸脱することなく種々の改変を行うことが可能であり、従って、上記説明に含まれる全ての事項又は添付の図面に図示された全ての事項は、限定的ではなく例示的なものであると解釈されたい。すなわち、本発明の範囲は、上述した実施形態の何れによっても限定されるものではなく、以下に添付した特許請求の範囲及びこれと同等のものによってのみ規定されるべきである。
【００２５】
また、特許請求の範囲又は本発明の例示的な実施形態に関する上記説明において、本発明の各要素が紹介される際には、「含む（comprising）」、「含む（including）」、及び、「有する（having）」なる用語は非制限的に使用されており、列挙した要素以外に追加的な要素があり得ることを意味していると理解すべきである。これに加え、「部分」なる用語は、当該用語が修飾している項目又は要素の一部又は全体を意味すると解釈すべきである。さらに、第１、第２、第３のような識別子を使用することにより、特定された各要素間に何らかの相対位置又は時系列が付加されるとは解釈すべきでない。以下の方法クレームの各ステップの順序は、この順序で各ステップを実施しなければならないと制限するものであるとは解釈すべきでない。
【図１】
2019032537.tif 000003
【図２】
2019032537.tif 000004
【図３Ａ】
2019032537.tif 000005
【図３Ｂ】
2019032537.tif 000006
【図３Ｃ】
2019032537.tif 000007
【図４Ａ】
2019032537.tif 000008
【図４Ｂ】
2019032537.tif 000009
【図４Ｃ】
2019032537.tif 000010
【図４Ｄ】
2019032537.tif 000011
【図５】
2019032537.tif 000012
【図６】
2019032537.tif 000013
【図７】
2019032537.tif 000014
【図８】
2019032537.tif 000015
【図９Ａ】
2019032537.tif 000016
【図９Ｂ】
2019032537.tif 000017
【図１０】
2019032537.tif 000018
【図１１】
2019032537.tif 000019
【図１２】
2019032537.tif 000020
【図１３】
2019032537.tif 000021
【図１４Ａ】
2019032537.tif 000022
【図１４Ｂ】
2019032537.tif 000023
【図１５】
2019032537.tif 000024
【図１６】
2019032537.tif 000025
【図１７】
2019032537.tif 000026
【図１８】
2019032537.tif 000027
【図１９】
2019032537.tif 000028
【図２０】
2019032537.tif 000029
【図２１】
2019032537.tif 000030
【図２２】
2019032537.tif 000031
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
伸展可能な眼鏡装置であって、
第１コネクタ部分を有する第１眼鏡部分と、
当該眼鏡装置を第１の伸展形態と第２の収納形態との間で選択的に移行させるように前記第１眼鏡部分と移動可能に結合された第２眼鏡部分と、を備え、
前記第２眼鏡部分は、第２コネクタ部分を有し、当該眼鏡装置が前記第２の収納形態にあるとき、前記第１眼鏡部分は、該第１眼鏡部分の前方部分から該第１眼鏡部分の後方部分に向けて延びる第１方向に沿って前記第２眼鏡部分と重なり合い、前記第１コネクタ部分は、前記第１方向に沿って前記第２コネクタ部分と略一直線に並び、前記第１眼鏡部分の後方部分は前記第２眼鏡部分の前方部分に面する、伸展可能な眼鏡装置。
【請求項２】
前記第１眼鏡部分は、そこから延びる第１テンプル部分をさらに有し、前記第２眼鏡部分は、そこから延びる第２テンプル部分をさらに有し、当該眼鏡装置が前記第２の収納形態にあるとき、前記第１テンプル部分と前記第２テンプル部分は、前記第１方向と略直交する第２方向に沿って積み重なる、請求項１に記載の伸展可能な眼鏡装置。
【請求項３】
前記第１テンプル部分は、
前記第１眼鏡部分に結合された第１近位部分と、
前記第１近位部分にヒンジ結合された第１遠位部分と、
を有する、請求項２に記載の伸展可能な眼鏡装置。
【請求項４】
前記第２テンプル部分は、
前記第２眼鏡部分に結合された第２近位部分と、
前記第２近位部分にヒンジ結合された第２遠位部分と、
を有する、請求項３に記載の伸展可能な眼鏡装置。
【請求項５】
当該眼鏡装置が前記第２の収納形態にあるとき、前記第１近位部分と前記第２近位部分は、前記第２方向に沿って積み重なり、前記第１遠位部分と前記第２遠位部分は、前記第２方向に沿って積み重なる、請求項４に記載の伸展可能な眼鏡装置。
【請求項６】
当該眼鏡装置が前記第２の収納形態にあるとき、前記第１近位部分は、前記第２方向に沿って前記第１コネクタ部分の上方に延在しない、請求項４に記載の伸展可能な眼鏡装置。
【請求項７】
当該眼鏡装置が前記第２の収納形態にあるとき、前記第１近位部分と前記第２近位部分のいずれも、前記第２方向に沿って前記第１コネクタ部分と前記第２コネクタ部分のいずれかの上方に延在しない、請求項４に記載の伸展可能な眼鏡装置。
【請求項８】
前記第１眼鏡部分は、第１レンズ部分をさらに有し、前記第２眼鏡部分は、第２レンズ部分をさらに有し、当該眼鏡装置が前記第２の収納形態にあるとき、前記第１遠位部分と前記第２遠位部分のいずれも、前記第２方向に沿って前記第１レンズ部分と前記第２レンズ部分のいずれかの下方に延在しない、請求項４に記載の伸展可能な眼鏡装置。
【請求項９】
当該眼鏡装置が前記第２の収納形態にあるとき、前記第１眼鏡部分の内側縁部は、前記第２眼鏡部分の外側縁部と、前記第１方向に沿って略一直線に並ぶ、請求項１に記載の伸展可能な眼鏡装置。
【請求項１０】
当該眼鏡装置が前記第２の収納形態にあるとき、前記第２眼鏡部分の内側縁部は、前記第１眼鏡部分の外側縁部と、前記第１方向に沿って略一直線に並ぶ、請求項１に記載の伸展可能な眼鏡装置。
【請求項１１】
当該眼鏡装置が前記第２の収納形態にあるとき、前記第１眼鏡部分の内側縁部は、前記第２眼鏡部分の内側縁部よりも、前記第２眼鏡部分の外側縁部の方に近接している、請求項１に記載の伸展可能な眼鏡装置。
【請求項１２】
当該眼鏡装置が前記第２の収納形態にあるとき、前記第２眼鏡部分の内側縁部は、前記第１眼鏡部分の内側縁部よりも、前記第１眼鏡部分の外側縁部の方に近接している、請求項１に記載の伸展可能な眼鏡装置。
【請求項１３】
前記第１眼鏡部分は、第１レンズ部分をさらに有し、前記第１方向は前記第１レンズ部分に略垂直に延びる、請求項１に記載の伸展可能な眼鏡装置。
【請求項１４】
当該眼鏡装置が前記第２の収納形態にあるとき、前記第１眼鏡部分の前方部分は、前記第２眼鏡部分の後方部分に面している、請求項１に記載の伸展可能な眼鏡装置。
【請求項１５】
伸展可能な眼鏡装置であって、
前方部分と後方部分を有する第１コネクタ部分を有する第１眼鏡部分と、
当該眼鏡装置を第１の伸展形態と第２の収納形態との間で選択的に移行させるように前記第１眼鏡部分と移動可能に結合された第２眼鏡部分と、を備え、
前記第２眼鏡部分は、前方部分と後方部分を有する第２コネクタ部分を有し、
当該眼鏡装置が前記第２の収納形態にあるとき、前記第１コネクタ部分の前方部分が前記第２コネクタ部分の後方部分に面するように、前記第１コネクタ部分は前記第２コネクタ部分と一直線に並びかつ重なり合う、伸展可能な眼鏡装置。
【請求項１６】
当該眼鏡装置が前記第２の収納形態にあるとき、前記第１眼鏡部分の内側縁部は、前記第２眼鏡部分の内側縁部よりも、前記第２眼鏡部分の外側縁部の方に近接している、
請求項１５に記載の伸展可能な眼鏡装置。
【請求項１７】
当該眼鏡装置が前記第２の収納形態にあるとき、前記第２眼鏡部分の内側縁部は、前記第１眼鏡部分の内側縁部よりも、前記第１眼鏡部分の外側縁部の方に近接している、
請求項１５に記載の伸展可能な眼鏡装置。
【請求項１８】
当該眼鏡装置が前記第２の収納形態にあるとき、前記第１コネクタ部分は、該第１コネクタ部分の前方部分から該第１コネクタ部分の後方部分に延びる第１方向に沿って、前記第２コネクタ部分と一直線に並ぶ、請求項１５に記載の伸展可能な眼鏡装置。
【請求項１９】
前記第１眼鏡部分は、そこから延びる第１テンプル部分をさらに有し、前記第２眼鏡部分は、そこから延びる第２テンプル部分をさらに有し、当該眼鏡装置が前記第２の収納形態にあるとき、前記第１テンプル部分と前記第２テンプル部分は、前記第１方向と略直交する第２方向に沿って積み重なる、請求項１５に記載の伸展可能な眼鏡装置。
【請求項２０】
前記第１テンプル部分は、
前記第１眼鏡部分に結合された第１近位部分と、
前記第１近位部分にヒンジ結合された第１遠位部分と、
を有する、請求項１９に記載の伸展可能な眼鏡装置。